(57)【要約】【課題】操作の手間の軽減を図る。【解決手段】表示システム（１０）は、タッチペン（２００）と、タッチペン（２００）による描画処理を行う電子ホワイトボード（１００）とを備え、電子ホワイトボード（１００）は表示部（１００Ａ）とコントローラ（１００Ｃ）とを備える。コントローラ（１００Ｃ）は、タッチペン（２００）の機能を設定するためのパレット画像（７００）を表示部（１００Ａ）に表示させる表示制御部（５０ｂ）を備える。表示制御部（５０ｂ）は、タッチペン（２００）が操作されない状態が続くことによってタッチペン（２００）が通常動作状態から休止状態に移行すると、表示部（１００Ａ）からパレット画像（７００）を消去する。【選択図】図２
2015148845.tif 000002
【特許請求の範囲】
【請求項１】
電子ペンによる描画処理を行う表示装置を制御する表示制御装置において、
前記電子ペンの機能を設定するための設定画像を前記表示装置に表示させる設定画像表示手段を備えており、
前記設定画像表示手段は、前記電子ペンが操作されない状態が続くことによって前記電子ペンが通常動作状態から休止状態に移行すると、前記表示装置から前記設定画像を消去することを特徴とする表示制御装置。
【請求項２】
前記設定画像表示手段は、前記電子ペンが前記休止状態から前記通常動作状態に復帰すると、前記設定画像を前記表示装置に表示させることを特徴とする請求項１に記載の表示制御装置。
【請求項３】
前記設定画像表示手段は、（１）前記電子ペンが前記休止状態から前記通常動作状態に復帰し、且つ、（２）前記表示装置の画面のうち前記電子ペンによって指し示される位置を示す位置情報が検出されると、前記設定画像を前記表示装置に表示させることを特徴とする請求項１に記載の表示制御装置。
【請求項４】
前記設定画像表示手段は、（１）前記電子ペンが前記休止状態から前記通常動作状態に復帰し、（２）前記表示装置の画面のうち前記電子ペンによって指し示される位置を示す位置情報が検出され、（３）前記表示装置の画面と前記電子ペンとが接触すると、前記設定画像を前記表示装置に表示させることを特徴とする請求項１に記載の表示制御装置。
【請求項５】
前記設定画像表示手段は、前記電子ペンが前記通常動作状態であっても、前記描画処理が行われている間は前記設定画像を非表示にすることを特徴とする請求項１から４のいずれか１項に記載の表示制御装置。
【請求項６】
前記設定画像表示手段は、利用者が前記電子ペンに対して所定の操作を行うと、前記設定画像の表示と非表示とを切り替えることを特徴とする請求項１から５のいずれか１項に記載の表示制御装置。
【請求項７】
電子ペンによる描画処理が行われる表示装置において、
表示部と、
前記電子ペンの機能を設定するための設定画像を前記表示部に表示させる設定画像表示手段とを備えており、
前記設定画像表示手段は、前記電子ペンが操作されない状態が続くことによって前記電子ペンが通常動作状態から休止状態に移行すると、前記表示部から前記設定画像を消去することを特徴とする表示装置。
【請求項８】
表示装置と、前記表示装置の表示部に対して描画処理を行うための電子ペンとを備えた表示システムにおいて、
前記電子ペンの機能を設定するための設定画像を前記表示部に表示させる設定画像表示手段を備えており、
前記設定画像表示手段は、前記描画処理が行われない状態が続くことによって前記電子ペンが通常動作状態から休止状態に移行すると、前記表示部から前記設定画像を消去することを特徴とする表示システム。
【請求項９】
前記表示部の画面のうち前記電子ペンによって指し示される位置を示す位置情報を生成するための走査処理を行う走査部と、
前記電子ペンが前記休止状態になっている場合、前記電子ペンが前記通常動作状態になっている場合よりも、前記走査部に前記走査処理の頻度を抑制させる走査制御手段とを備えたことを特徴とする請求項８に記載の表示システム。
【請求項１０】
コンピュータを請求項１〜６のいずれか１項に記載の表示制御装置の各手段として機能させるプログラム。
【請求項１１】
請求項１０に記載のプログラムを記憶したコンピュータ読み取り可能な記録媒体。
【発明の詳細な説明】
【技術分野】
【０００１】
本発明は、電子ペン（タッチペン）による描画処理を行う表示システムに関する。
【背景技術】
【０００２】
近年、複数の発光素子と、これらの発光素子に対応する受光素子とを備え、表示面上の遮光物の位置を検出する、いわゆる光学式タッチパネル装置が普及してきている。
【０００３】
光学式タッチパネルは、矩形状の表示面の縁に沿って水平方向（Ｘ軸方向）及び垂直方向（Ｙ軸方向）に並べて配置される複数の発光素子と、発光素子に対向する位置に並べて配置される複数の受光素子とを備える。
【０００４】
各発光素子から出射された光は表示面に沿って進行し、対向する位置にある受光素子によって受光される。使用者が指またはペン等を使って表示面上の所定位置をタッチ操作した場合（すなわち所定位置を指した場合）、光が遮られて受光できない受光素子が生じる。光学式タッチパネルは、Ｘ軸方向及びＹ軸方向に並んだ受光素子のうち、受光できない受光素子の位置を特定することにより、表示面上における、使用者の指又はペン等（遮光物）の位置の座標を検出する（つまり使用者が指した位置の座標を検出する）。このように、各発光素子から光を出射して、各受光素子の出力に基づいて遮光物の座標を検出する処理を「走査」と称する。
【０００５】
また、利用者に指し示される位置が連続的に移動した場合（利用者が指またはペンを動かした場合）、光学式タッチパネルは、遮光物の位置の履歴を記憶することにより、利用者に指し示される位置を追従して文字又は線を示す画像を表示パネルに表示させる処理を行うことが可能である。このように、利用者に指し示される位置を追随して文字または線を表示する処理を「描画」と称す。
【０００６】
なお、タッチパネルとしては、上記した光学式の他に、抵抗膜式、静電容量式、電磁誘導式などがある。
【０００７】
以上のようなタッチパネルにおいては、例えば特許文献１に示すように、表示面に描画を行う際、描画される線の色や太さや濃度を設定する機能が備えられている。特許文献１は、電磁誘導式のタッチパネルを備えたプラズマ表示パネルと、モード切替スイッチとパレット切替スイッチとを設けたスタイラスペンとを備えるテレビジョンを開示している。特許文献１のテレビジョンにおいて、モード切替信号の入力が確認されると、プラズマ表示パネルのうち、上段に簡単なガイダンスが表示され、それ以外の部分は一様なベタ画像よりなるキャンバス画像が表示される。さらに、キャンバス画像が表示された状態で、パレット切替信号の入力が検知されると、パレット画像が表示されるようになっている。パレット画像には、ペン色と背景色との各々について、矩形状の色見本が複数示されている。スタイラスペンの先端を各色見本に接触させることにより、ペン色または背景色を、スタイラスペンの先端と接触させた色見本と同じ色に切り替えることができる。
【先行技術文献】
【特許文献】
【０００８】
【特許文献１】特開２００６−２９３１４９号公報（２００６年１０月２６日公開）
【発明の概要】
【発明が解決しようとする課題】
【０００９】
特許文献１の技術によれば、パレット画像を表示した場合、表示領域の一部がパレット画像に占有されてしまい、スタイラスペンを用いた描写処理を行っていない間においては表示領域の有効活用が妨げられることになる。したがって、パレット画像を表示させた後、スタイラスペンが用いられていない間においては表示部からパレット画像を消去させることが望ましいが、消去させるための操作が必要になり、手間が生じることになる。
【００１０】
本発明は、従来技術よりも操作手間が軽減される表示制御装置、表示装置、表示システム、プログラム、記録媒体を提供することを目的とする。
【課題を解決するための手段】
【００１１】
上記の課題を解決するために、本発明の一態様は、電子ペンによる描画処理を行う表示装置を制御する表示制御装置において、前記電子ペンの機能を設定するための設定画像を前記表示装置に表示させる設定画像表示手段を備えており、前記設定画像表示手段は、前記電子ペンが操作されない状態が続くことによって前記電子ペンが通常動作状態から休止状態に移行すると、前記表示装置から前記設定画像を消去することを特徴とする。
【発明の効果】
【００１２】
本発明の一態様によれば、利用者が電子ペンを操作しない状態が続いて前記電子ペンが休止状態に移行した場合、自動的に前記設定画像が消去されることになり、操作手間が軽減されるという効果を奏する。
【図面の簡単な説明】
【００１３】
【図１】実施形態１の表示システムの外観構成を示した概略図である。
【図２】表示システムに含まれる電子ホワイトボードの機能ブロック図である。
【図３】タッチパネル部の外観構成を示す概略図である。
【図４】タッチペンの機能ブロック図である。
【図５】通常動作状態から休止状態への遷移、および、休止状態から通常動作状態への遷移を示したタイミングチャートである。
【図６】通常動作状態の表示部の表示状態と、休止状態の表示部の表示状態とを示した説明図である。
【図７Ａ】パレット画像の表示例を示した図である。
【図７Ｂ】パレット画像の表示例を示した図であって、図７Ａの表示例とは異なる表示例を示した図である。
【図７Ｃ】パレット画像の表示例を示した図であって、図７Ａまたは図７Ｂの表示例とは異なる表示例を示した図である。
【発明を実施するための形態】
【００１４】
〔実施形態１〕
本発明の一実施形態である表示システムを図に基づいて以下に説明する。
【００１５】
図１は、本実施形態の表示システム１０の外観構成を示した概略図である。表示システム１０は、図１に示すように、電子ホワイトボード（電子黒板）１００と、タッチペン（電子ペン）２００とを備える。
【００１６】
電子ホワイトボード１００は、タッチパネル機能を備えた表示装置であり、表示部１００Ａと、タッチパネル部１００Ｂと、コントローラ１００Ｃとを有している。表示部１００Ａは、ＨＤＭＩ（登録商標：High-Definition Multimedia Interface）を介してコントローラ１００Ｃと接続されており、タッチパネル部１００Ｂは、ＵＳＢ（Universal Serial Bus）を介してコントローラ１００Ｃと接続されている。
【００１７】
表示部１００Ａは、例えばＬＣＤ（Liquid Crystal Display）またはＥＬ（Electroluminescence）パネル等である。表示部１００Ａは、コントローラ１００Ｃから送信される画像データ（映像データ）の画像を表示するようになっている。
【００１８】
タッチパネル部１００Ｂは、表示部１００Ａの表示画面の周囲に配置されている、いわゆる赤外線遮断方式（光学式の一種）のタッチパネルである。つまり、タッチパネル部１００Ｂは、表示部１００Ａの表示画面に、遮光物（タッチペン２００若しくは利用者の指の先端等）が接触または近づくと、当該遮光物の位置を示す座標値（位置情報）を検出する装置である。以下、図２および図３に基づいてタッチパネル部１００Ｂの構成を詳細に説明する。
【００１９】
図２は、電子ホワイトボード１００のブロック図であり、図３は、タッチパネル部１００Ｂの外観構成を示す概略図である。
【００２０】
図２に示すように、タッチパネル部１００Ｂは、情報処理部１と、ＲＯＭ２と、ＲＡＭ３と、Ｉ／Ｆ部５と、通信部６と、走査部９とを備えている。
【００２１】
情報処理部１は、ＣＰＵ（Central Processing Unit）等からなる演算処理装置であり、ＲＯＭ２に格納されている制御プログラムをＲＡＭ３上にロードして実行することにより、各種制御処理や各種演算処理を行うものである。
【００２２】
情報処理部１は、制御部１ａと座標値検出部１ｂとを備える。制御部１ａは、タッチパネル部１００Ｂの各種ハードウェアの制御や、タッチパネル部１００Ｂとタッチペン２００との通信の制御、タッチパネル部１００Ｂとコントローラ１００Ｃとの通信の制御を行う。座標値検出部１ｂは、表示部１００Ａの表示画面上の遮光物の座標値を求める。
【００２３】
ＲＯＭ（Read Only Memory）２は、情報処理部１にて利用されるプログラムを格納する記憶装置である。ＲＡＭ（Random Access Memory）３は、前記したプログラムや、該プログラムを実行することにより発生する各種データ等を一時的に記憶する記憶装置である。なお、情報処理部１は、ＲＡＭ３のデータについて、記憶順や記憶位置等に関係なく読み出すことが可能である。
【００２４】
Ｉ／Ｆ部５は、コントローラ１００Ｃとの通信を行うための通信インターフェイスである。
【００２５】
通信部６は、タッチペン２００との間で情報の送受信を行うための通信インターフェイスである。タッチペン２００との間の通信方式は有線または無線のいずれであってもかまわない。無線の場合は、Bluetooth（登録商標）、ZigBee（登録商標）、その他の任意の無線方式を用いることができる。
【００２６】
走査部９は、表示部１００Ａの表示画面に沿うように赤外線の光（以下「赤外光」と称す）を走査するものである。走査部９は、図２に示すように、発光部９１と、受光部９２と、発光用アドレスデコーダ９３Ａと、受光用アドレスデコーダ９３Ｂと、Ａ／Ｄ（Analog to Digital）コンバータ９４とを備えている。
【００２７】
図３に示すように、発光部９１は複数の発光素子９１１を有し、受光部９２は複数の受光素子９２１を有している。各発光素子９１１は、赤外光を照射する発光ダイオード（ＬＥＤ）であり、各受光素子９２１は、赤外光を受光し、受光レベルを示した強度信号を出力するフォトダイオードである。
【００２８】
具体的には、図３に示すように、発光部９１を構成する複数の発光素子９１１…は、表示部１００Ａを囲むベゼル（額縁）の下辺および右辺において一列に並べられている。受光部９２を構成する複数の受光素子９２１…は、前記ベゼルの上辺および左辺において一列に並べられている。
【００２９】
ベゼルの右辺（右側）の複数の発光素子９１１は、各々が発光する赤外光の光路が前記表示画面に沿って互いに平行をなすように設けられている。ベゼルの下辺（下側）の発光素子９１１…も、各々が発光する赤外光の光路が前記表示画面に沿って互いに平行をなすように設けられている。また、図３に示すように、ｘ軸方向（水平方向）に向けて赤外光を射出する右辺（右側）の発光素子９１１…と、ｙ軸方向（垂直方向）に向けて赤外光を射出する下辺（下側）の発光素子９１１…とは、その光路が相互に直交（交差）するようになっている。
【００３０】
また、図３に示すように、ベゼルの左辺（左側）には、ベゼルの右辺（右側）の複数の発光素子９１１と同数の受光素子９２１…が並んでいる。図３に示すように、ベゼルの左辺の各受光素子９２１は、ベゼルの右辺の各発光素子９１１からの光を受光するように、ベゼルの右辺の各発光素子９１１と１対１で対向配置される。さらに、図３に示すように、ベゼルの上辺（上側）には、ベゼルの下辺（下側）の複数の発光素子９１１と同数の受光素子９２１…が並んでいる。図３に示すように、ベゼルの上辺の各受光素子９２１は、ベゼルの下辺の各発光素子９１１からの光を受光するように、ベゼルの下辺の各発光素子９１１と１対１で対向配置される。
【００３１】
また、発光部９１は、図示しないマルチプレクサを有しており、発光素子９１１の夫々は該マルチプレクサに接続されており、受光部９２も、図示しないマルチプレクサを有しており、受光素子９２１の夫々は該マルチプレクサに接続されている。
【００３２】
図２の発光用アドレスデコーダ９３Ａは、制御部１ａから送られてくる発光指示信号に基づき、発光させる発光素子９１１を選択する信号を発光部９１に送信する。受光用アドレスデコーダ９３Ｂは、制御部１ａから送られてくる受光指示信号に基づき、発光させる発光素子９１１に対応する受光素子９２１を選択する信号を受光部９２に送信する。Ａ／Ｄコンバータ９４は、光遮断の検出に用いられる受光部９２からのアナログ信号をデジタル信号に変換する変換部である。
【００３３】
つぎに、走査部９における走査処理の内容を具体的に説明する。制御部１ａは、発光部９１の各発光素子９１１を発光させるための発光指示信号を発光用アドレスデコーダ９３Ａへ出力すると共に、受光部９２の各受光素子９２１に受光させるための受光指示信号を受光用アドレスデコーダ９３Ｂへ出力する。
【００３４】
発光用アドレスデコーダ９３Ａは、発光部９１の全ての発光素子９１１のうち、発光させる発光素子９１１を選択する信号を発光部９１に出力する。受光用アドレスデコーダ９３Ｂは、受光部９２の全ての受光素子９２１のうち、発光させる発光素子９１１に対応する受光素子９２１を選択する信号を受光部９２に出力する。これにより、発光用アドレスデコーダ９３Ａにて選択された発光素子９１１が赤外光を発光し、当該発光素子９１１に対応する受光素子９２１が赤外光を受光する。この際、受光素子９２１は、受光した赤外光の強度を電圧値で示す強度信号をＡ／Ｄコンバータ９４に出力する。Ａ／Ｄコンバータ９４は、前記強度信号を、アナログ形式の信号から例えば８ビットのデジタル形式の信号に変換し、変換後の強度信号を座標値検出部１ｂに出力する。
【００３５】
以上のようにして、走査部９は、表示部１００Ａを囲むベゼル（額縁）の下辺の発光部９１の一端から他端まで、また、前記ベゼルの右辺の一端から他端まで、１つずつ発光素子９１１を順次発光させていく。これにより、座標値検出部１ｂは、全ての受光素子９２１からの強度信号を取得する。
【００３６】
座標値検出部１ｂは、走査部９からの強度信号に基づいて、表示部１００Ａの表示画面上の遮光物（タッチペン２００または利用者の指等）の座標値を求める。具体的には、座標値検出部１ｂは、各受光素子９２１から取得した強度信号に基づき、各受光素子９２１の受光量を計算する。座標値検出部１ｂは、受光量が予め定められている閾値を超過している受光素子９２１については赤外光の光路が遮蔽されていないと判定する。これに対し、座標値検出部１ｂは、受光量が前記閾値以下である受光素子９２１については赤外光の光路が遮蔽されていると判定する。座標値検出部１ｂは、赤外光の光路が遮蔽されている受光素子９２１を特定し、特定された受光素子９２１の位置に基づき、表示部１００Ａの表示画面上の遮光物の座標値を求める（生成する）。制御部１ａは、座標値検出部１ｂにて求められた座標値（座標データ）を、Ｉ/Ｆ部５を介してコントローラ１００Ｃへ送信する。
【００３７】
つぎに、タッチペン２００について説明する。タッチペン２００は、タッチペン２００が動いた場合に生じる運動量を示す運動情報と、ペン先が押圧された場合に生じる圧力（荷重）を示す圧力情報とをタッチパネル部１００Ｂに送信する。これにより、電子ホワイトボード１００側では、タッチペン２００がユーザに操作された場合の運動量および筆圧を認識できるようになっている。
【００３８】
図４は、タッチペン２００の概略構成を示すブロック図である。タッチペン２００は、図４に示すように、筆圧検出部２０１、運動検出部２０２、ペン制御部２０３、ペン通信部２０４を備えている。
【００３９】
筆圧検出部２０１は、タッチペン２００のペン先が押圧された場合、ペン先に生じる圧力（筆圧）を示した値である圧力情報を出力する圧力センサである。筆圧検出部２０１は、圧力情報をペン制御部２０３へ送信するようになっている。なお、筆圧検出部２０１は、タッチペン２００が通常動作状態（後述する）である時のみ起動しており、タッチペン２００が休止状態（後述する）である時は通電が遮断されて非動作状態になっている。
【００４０】
運動検出部２０２は、タッチペン２００が運動した場合、速度、加速度、角速度などの運動量を値で示した運動情報を出力するモーションセンサである。運動検出部２０２は、運動情報をペン制御部２０３へ送信するようになっている。運動検出部２０２は、タッチペン２００が通常動作状態および休止状態のいずれの場合においても起動している。なお、モーションセンサとしては、例えば静電容量型、ピエゾ抵抗型などの加速度センサを用いることができる。
【００４１】
ペン通信部２０４は、タッチパネル部１００Ｂとの間で情報の送受信を行うための通信インターフェイスである。タッチパネル部１００Ｂとの間の通信方式は有線または無線のいずれであってもかまわない。無線の場合は、Bluetooth（登録商標）、ZigBee（登録商標）、その他の任意の無線方式を用いることができる。
【００４２】
ペン制御部２０３は、タッチパネル部１００Ｂとの通信の制御や、タッチペン２００の各ハードウェアの動作制御等を行うブロックである。
【００４３】
ペン制御部２０３は、筆圧検出部２０１または運動検出部２０２から出力されている圧力情報または運動情報（両情報が出力されている場合は両情報）を、所定の第１周期（短周期；例えば８０〜１２０Ｈｚの周波数）で、ペン通信部２０４を介してタッチパネル部１００Ｂに送信し続ける。
【００４４】
また、ペン制御部２０３は、タッチペン２００を通常動作状態と休止状態とに切り替える制御を行う。
【００４５】
通常動作状態とは、タッチペン２００が、タッチパネル部１００Ｂへ、圧力情報または運動情報の少なくとも一方を第１周期で送信を続けている状態、または、後述の定期通信を第２周期で続けている状態を指す。
【００４６】
休止状態（スリープ状態）とは、タッチペン２００の電源がオンであるものの通常動作状態よりも低消費電力の状態であり、タッチペン２００がタッチパネル部１００Ｂとの間で通信を行わない状態（省電力モード）を指す。通常動作状態では、図４に示される筆圧検出部２０１、運動検出部２０２、ペン制御部２０３、ペン通信部２０４は、いずれも通電されているが、休止状態では、運動検出部２０２およびペン制御部２０３に通電されているものの、筆圧検出部２０１およびペン通信部２０４への通電は遮断されている（つまり筆圧検出部２０１およびペン通信部２０４は動作していない）。
【００４７】
つぎに、図５を用いて通常動作状態から休止状態への遷移、および、休止状態から通常動作状態への遷移について説明する。
【００４８】
ペン制御部２０３は、通常動作状態では、筆圧検出部２０１または運動検出部２０２から出力されている前記圧力情報または前記運動情報（両情報が出力されている場合は両情報）を、ペン通信部２０４を介してタッチパネル部１００Ｂへ第１周期で送信し続ける（図５の符号Ａを参照）。
【００４９】
また、通常動作状態において、ペン制御部２０３は、前記圧力情報および前記運動情報がいずれも出力されなくなった場合、圧力情報等の送信周期（第１周期）よりも長い所定の第２周期（例えば１秒周期）で定期通信を行う（図５の符号Ｂを参照）。定期通信にて送信される情報は、通常動作状態であることを示す情報であり、電池残量などの情報が含まれていても構わない。
【００５０】
さらに、前記圧力情報および前記運動情報が出力されない状態が所定時間（前記の第２周期よりも長い時間：例えば６０秒）続いた場合、ペン制御部２０３は、タッチペン２００を通常動作状態から休止状態へ移行させ（図５の符号Ｃを参照）、定期通信をストップする。ペン制御部２０３は、通常動作状態から休止状態へ遷移する場合、図５に示すように、ペン通信部２０４を介して、タッチパネル部１００Ｂへ休止通知を送信するようになっている。
【００５１】
さらに、タッチペン２００が休止状態の間、運動検出部２０２から運動情報が出力されると、ペン制御部２０３は、筆圧検出部２０１およびペン通信部２０４を通電状態に復帰させ、休止状態から通常動作状態へと復帰し、運動情報をタッチパネル部１００Ｂに送信する。
【００５２】
なお、タッチペン２００からタッチパネル部１００Ｂへ送信された情報（前記圧力情報、前記運動情報、定期通信、休止通知）は、タッチパネル部１００Ｂの制御部１ａによって、コントローラ１００Ｃへ送信されるようになっている。
【００５３】
以上の構成によれば、タッチペン２００にて検出される運動情報および圧力情報がコントローラ１００Ｃ側へ送信されるようになっているため、コントローラ１００Ｃ側では、タッチペン２００がユーザにより操作された場合の運動量および筆圧を認識できるようになっている。また、通常動作状態のタッチペン２００をユーザが放置して時間が経過することで（ユーザがタッチペンを操作しない状態が続くことで）、運動情報および圧力情報が検出されない状態が続くと、タッチペン２００が通常動作状態から休止状態に移行し、休止状態のタッチペン２００をユーザが動かすことで運動情報が出力されると、休止状態から通常動作状態へ復帰するようになっている。
【００５４】
また、以上のペン制御部２０３は、筆圧検出部２０１から出力される圧力情報、および、運動検出部２０２から出力される運動情報を全て有効なデータとして扱う構成であるため、ユーザ操作以外（例えば単なる振動）で生じる微小な圧力情報や運動情報も、ユーザ操作によるものとしてコントローラ１００Ｃに扱われてしまう事態が生じる。そこで、この事態を抑制するために、圧力情報および運動情報の夫々に閾値を設定し、閾値以上の圧力情報、運動情報を有効なデータとして扱い、閾値未満の圧力情報、運動情報を無効なデータとして無視するような形態になっていてもよい。具体的には、ペン制御部２０３は以下に説明するように処理を行ってもよい。
【００５５】
ペン制御部２０３は、筆圧検出部２０１から出力される圧力情報を、当該圧力情報に対し設定される閾値と比較し、閾値以上の圧力情報を有効圧力情報として抽出する。また、ペン制御部２０３は、運動検出部２０２から出力される運動情報を、当該運動情報に対し設定される閾値と比較し、閾値以上の運動情報を有効運動情報として抽出する。
ペン制御部２０３は、有効圧力情報または有効運動情報（両情報が抽出されている場合は両情報）を、前記の第１周期でペン通信部２０４を介してタッチパネル部１００Ｂに送信し続ける。
【００５６】
通常動作状態において、ペン制御部２０３は、有効圧力情報および有効運動情報が抽出されなくなった場合、前記の定期通信を行う。さらに、有効圧力情報および有効運動情報が抽出されない状態が所定時間続いた場合、ペン制御部２０３は、タッチペン２００を通常動作状態から休止状態へ移行させ、定期通信をストップする。また、休止状態に遷移する場合、ペン制御部２０３は、ペン通信部２０４を介して、タッチパネル部１００Ｂに休止通知を送信する。ペン制御部２０３は、タッチペン２００が休止状態の間に有効運動情報を抽出すると、筆圧検出部２０１およびペン通信部２０４を通電状態に復帰させ、休止状態から通常動作状態へと遷移させ、当該有効運動情報をタッチパネル部１００Ｂへ送信する。以上の形態によれば、ユーザ操作以外（例えば単なる振動）で生じる微小な圧力情報や運動情報を、ユーザ操作によって生じる運動情報および筆圧情報としてコントローラ１００Ｃが認識するということを抑制できる。また、以上の形態によれば、休止状態中にタッチペン２００に対するユーザの操作が無いのに通常動作状態に移行するといった事態や、通常動作状態中にタッチペン２００に対するユーザの操作が長期間無いのに休止状態に移行されないといった事態を抑制できる。
【００５７】
また、筆圧検出部（圧力センサ）２０１および運動検出部２０２（モーションセンサ）の出力信号には変動がある（例えば圧力センサの出力信号はリニアにならない場合がある）。そこで、ペン制御部２０３は、筆圧検出部２０１にて出力される圧力情報や、運動検出部２０２にて出力される運動情報に対して補正（正規化）を行った上で、圧力情報および運動情報の送信処理、圧力情報および運動情報に基づく通常動作状態と休止状態との切り替え処理、圧力情報および運動情報に対する閾値処理等を行うようになっていてもよい。
【００５８】
つぎに、コントローラ１００Ｃについて説明する。コントローラ１００Ｃは、電子ホワイトボード１００の制御（表示部１００Ａの表示制御）を行う表示制御装置である。図２に示すように、コントローラ１００Ｃは、情報処理部５０、記憶部５１、ＲＡＭ５２、Ｉ／Ｆ部５３を備える。
【００５９】
情報処理部５０は、ＣＰＵ等からなる演算処理装置であり、記憶部５１に格納されている制御プログラムをＲＡＭ５２上にロードして実行することにより、各種制御処理や各種演算処理、タッチパネル部１００Ｂや表示部１００Ａとの通信処理の制御を行うものである。
【００６０】
記憶部５１は、ハードディスクや半導体メモリ等の不揮発性の記憶装置であり、情報処理部５０で使用されるプログラムや画像データを記憶する。ＲＡＭ５２は、前記したプログラムや、該プログラムを実行することにより発生する各種データ等を一時的に記憶する記憶装置である。Ｉ／Ｆ部５３は、タッチパネル部１００Ｂとの通信、および、表示部１００Ａとの通信を行うための通信インターフェイスである。
【００６１】
情報処理部５０は、図２に示すように、状態判定部５０ａおよび表示制御部５０ｂを備えている。
【００６２】
状態判定部５０ａは、タッチパネル部１００Ｂを介して送信されてくるタッチペン２００から得られる情報に基づいて、タッチペン２００の状態を判定するブロックである。状態判定部５０ａの判定処理を以下詳細に説明する。
【００６３】
状態判定部５０ａは、圧力情報または運動情報の少なくとも一方を第１周期で受信している間（図５の符号Ａ）、または、定期通信を第２周期で受信している間（図５符号Ｂ）、通常動作状態と判定する。
【００６４】
そして、状態判定部５０ａは、休止通知を受信した場合、タッチペン２００が通常動作状態から休止状態へ移行したと判定する。
【００６５】
また、状態判定部５０ａは、休止通知を受信していない場合であっても、前記定期通信が途絶えてから一定期間（第２周期よりも長い期間）、圧力情報、運動情報、定期通信のいずれも受信しない場合、タッチペン２００が通常動作状態から休止状態へ移行したと判定する。これは、タッチパネル部１００Ｂとタッチペン２００との間の通信方式が無線の場合、タッチパネル部１００Ｂが休止通知を取りこぼすことがあるが、その場合でもタッチペン２００からの通信の有無によって休止状態への移行を推定できるようにしたものである。なお、図５は、タッチパネル部１００Ｂが休止通知を取りこぼしたものの、タッチペン２００からの通信の有無によって休止状態への移行を推定した際のチャートを示している。
【００６６】
状態判定部５０ａは、通常動作状態から休止状態へ移行したと判定した後、タッチペン２００と通信がない間はタッチペン２００が休止状態であると判定し、休止状態の時にタッチペン２００から運動情報を受信すると、タッチペン２００が休止状態から通常動作状態に復帰したものと判定する（図５の符号Ｄ）。
【００６７】
つぎに、表示制御部５０ｂを説明する。表示制御部５０ｂは、記憶部５１に記憶されている各種画像データや各種アプリケーションに基づく画像を表示部１００Ａに表示させる制御を行う。
【００６８】
また、表示制御部（設定画像表示手段）５０ｂは、タッチパネル部１００Ｂから送信されてくる座標値、および、圧力情報（タッチペン２００の筆圧）に基づいて、描画処理を行う。具体的には、表示制御部５０ｂは、座標値および圧力情報によって、タッチペン２００のペン先が表示部１００Ａの画面に接触しながら動いていることを検知すると、ペン先の軌跡に応じたラインを表示部１００Ａに表示させる制御を行う。
【００６９】
さらに、本実施形態の表示制御部５０ｂは、タッチペン２００の機能を設定するためのパレット画像７００（図６を参照）を表示部１００Ａに表示させるようになっている。パレット画像７００によって、タッチペン２００によって描かれる線の太さまたは色が設定されるようになっている。すなわち、パレット画像７００には、描画可能な線の色の見本で塗り潰された矩形が複数示されており、描画可能な太さの線の見本を内側に表示した矩形（矩形の内部に線の太さの見本が表示された矩形）が複数表示されている。表示制御部５０ｂは、タッチパネル部１００Ｂから送信される座標値および圧力情報に基づき、ユーザがタッチペン２００によってパレット画像７００に示される矩形をタッチした事を検出すると、描画処理にて描画される線の色または太さを、タッチされた矩形に示される色または太さの見本と同じものに変更するようになっている。
【００７０】
ここで、タッチペン２００が使用されていない場合にパレット画像７００を常に表示部１００Ａに表示させるようになっている場合、表示領域の一部がパレット画像７００に占有されてしまい、表示領域が狭められてしまう（つまり、電子ホワイトボード１００においてタッチペン２００が使用されていない場合、表示部１００Ａに表示されているコンテンツを視聴者に最大限示す状況であることが想定されるが、コンテンツ上にパレット画像７００が重畳されていると、コンテンツの表示が阻害されることになる）。したがって、パレット画像７００を表示させた後、タッチペン２００が用いられていない期間が続くと、表示部１００Ａからパレット画像７００を消去させることが望ましいが、その度にパレット画像７００を消去させるための手動操作（例えばタッチペン２００のスイッチ切替）が必要になる場合、手間である。
【００７１】
そこで、本実施形態の表示制御部５０ｂは、状態判定部５０ａによってタッチペン２００が通常動作状態から休止状態に移行したことが検出されると、図６に示すように、表示部１００Ａに表示させていたパレット画像（設定画像）７００を消去するようになっている。そして、表示制御部５０ｂは、状態判定部５０ａによってタッチペン２００が前記休止状態から前記通常動作状態に復帰したことが検出されると、再び、パレット画像７００を表示部１００Ａに表示させる。
【００７２】
これにより、タッチペン２００が利用者に操作されていない状態が続いてタッチペン２００が休止状態に移行した場合、パレット画像７００が自動的に消去されることになり（ユーザの操作無で消去されることになり）、操作手間が軽減されるという効果を奏する。また、タッチペン２００が前記休止状態から前記通常動作状態に復帰すると、自動的にパレット画像７００を表示部１００Ａに表示させることになり（ユーザの操作無で表示させることになり）、操作手間が軽減されるという効果を奏する。
【００７３】
なお、表示制御部５０ｂは、描画処理中においては、図６に示すように、タッチペン２００にて指し示されている箇所の、例えば３０ｃｍ左側（当該箇所が表示領域外の場合はタッチペン２００の右側）にパレット画像を表示するようになっていることが好ましい。これにおより、描画処理の邪魔にならない位置にパレット画像７００を表示させることができる。
【００７４】
〔実施形態２〕
実施形態２では実施形態１と異なる点のみ説明する。実施形態１は、タッチペン２００が休止状態から通常動作状態に復帰すると、表示部１００Ａにパレット画像７００を再表示させる形態である。
【００７５】
これに対し、実施形態２では、表示制御部５０ｂは、タッチペン２００が前記休止状態から前記通常動作状態に復帰し、且つ、タッチパネル部１００Ｂにて座標値が検出された場合に、表示部１００Ａにパレット画像を再表示させるようになっている。すなわち、実施形態２では、単にタッチペン２００が休止状態から通常動作状態に復帰しただけの場合には表示部１００Ａにパレット画像７００を再表示させず、休止状態から通常動作状態に復帰し、且つ、表示画面のうちタッチペン２００によって指し示される位置を示す位置情報（座標値）がタッチパネル部１００Ｂにて検出された場合に表示部１００Ａにパレット画像を再表示させるようになっている。なお、表示制御部５０ｂは、タッチパネル部１００Ｂから座標値を受信したことをもってタッチパネル部１００Ｂにて座標値が検出されたことを認識できる。
【００７６】
以上の形態によれば、タッチペン２００が通常動作状態に復帰するだけでなく、実際にタッチペン２００による位置指定が始まったことを検出してから、パレット画像７００を表示させるようになっている。すなわち、単にタッチペン２００が通常動作状態に復帰するだけでなく、実際にパレット画像７００の使用がなされる可能性の高い状況になってからパレット画像７００を表示させるようになる。よって、利用者にとってパレット画像７００の表示を必要とするタイミングでパレット画像７００を自動表示させる精度を高くできる。
【００７７】
なお、表示部１００Ａにパレット画像を再表示させた後、前記通常動作状態から前記休止状態に移行するまでの間、表示制御部５０ｂは、特に利用者による指示入力がない限り、パレット画像を表示させ続ける。
【００７８】
また、表示制御部５０ｂは、通常動作状態に復帰し且つタッチペン２００の座標値（位置情報）がタッチパネル部１００Ｂにて検出された場合にパレット画像７００を表示させるのではなく、通常動作状態に復帰し且つタッチペン２００が画面に接触したことを検出した場合にパレット画像７００を表示させるようになっていてもよい。つまり、この場合、タッチペン２００の座標値の検出の有無は関係なく、表示制御部５０ｂは、通常動作状態に復帰し、且つ、タッチパネル部１００Ｂを介してタッチペン２００から送信される圧力情報によって表示部１００Ａの画面とタッチペン２００とが接触したことを認識した場合にパレット画像７００を表示させるようになっている。
【００７９】
〔実施形態３〕
実施形態３では実施形態１、２と異なる点のみ説明する。実施形態１は、タッチペン２００が休止状態から通常動作状態に復帰すると、表示部１００Ａにパレット画像を再表示させる形態であり、実施形態２は、タッチペン２００が前記休止状態から前記通常動作状態に復帰し、且つ、タッチパネル部１００Ｂにて座標値が検出された場合、表示部１００Ａにパレット画像を再表示させる形態である。
【００８０】
これに対し、実施形態３では、表示制御部５０ｂは、タッチペン２００が前記休止状態から前記通常動作状態に復帰し、且つ、タッチパネル部１００Ｂにて座標値が検出され、且つ、表示部１００Ａの画面とタッチペン２００とが接触した場合、パレット画像７００を表示部１００Ａに再表示させるようになっている。なお、表示制御部５０ｂは、タッチパネル部１００Ｂを介してタッチペン２００から送信される圧力情報によって、表示部１００Ａの画面とタッチペン２００とが接触したことを認識できる。
【００８１】
以上の形態によれば、タッチペン２００が通常動作状態に復帰するだけでなく、実際にタッチペン２００が画面に接触することによる位置指定が始まったことを検出してから、パレット画像７００を表示させるようになっている。すなわち、単にタッチペン２００が通常動作状態に復帰するだけでなく、実際にパレット画像７００の使用がなされる可能性の高い状況になってからパレット画像７００を表示させるようになる。よって、利用者にとってパレット画像７００の表示を必要とするタイミングでパレット画像７００を自動表示させる精度を高くできる。
【００８２】
なお、表示部１００Ａにパレット画像を再表示させた後、前記通常動作状態から前記休止状態に移行するまでの間、表示制御部５０ｂは、特に利用者による入力指示がない限り、パレット画像を表示させ続ける。
【００８３】
〔実施形態４〕
表示制御部５０ｂは、タッチペン２００が通常動作状態であっても、描画処理が行われている間はパレット画像７００を非表示にするようになっていてもよい。これにより、パレット画像７００が描画処理の妨げになることを抑制できる。
【００８４】
すなわち、描画処理とパレット画像７００を用いた設定処理とが同時に行われることはないため（通常は描画処理の開始直前に設定処理が行われる）、描画処理中にパレット画像７００が表示されている必然性はなく、むしろ描画処理中に前記設定画像が表示されていると、前記表示画面に占める描画可能領域が狭くなり、パレット画像７００が描画処理の妨げになる。これに対し、本実施形態によれば、描画処理が行われている間はパレット画像７００を非表示にするため、パレット画像７００が描画処理の妨げになることを抑制できる。
【００８５】
なお、表示制御部５０ｂは、例えば下記のようにして描画処理中か否かを判定してもよい。表示制御部５０ｂは、前記の座標値情報および圧力情報を参照して、タッチペン２００と画面との接触状態が所定時間以上続いている間にタッチペン２００のペン先の移動距離が所定値以上になれば描画処理中と判定する。表示制御部５０ｂは、描画処理中と判定した場合、表示部１００Ａからパレット画像７００を消去する。
【００８６】
また、表示制御部５０ｂは、タッチペン２００による描画処理中のみならず、その他の遮光物（利用者の指等）による描画処理中であってもパレット画像７００を非表示にするようになっていてもよい。この場合、表示制御部５０ｂは、前記の座標値情報を参照して、前記遮光物の移動距離が所定値以上になれば描画処理中と判定するようになっていてもよい。
【００８７】
〔実施形態５〕
また、パレット画像７００の表示と非表示との切り替えを利用者の指示入力によって行えるようにしないと、例えば、利用者がパレット画像７００の表示を望んでいる場合にパレット画像７００が非表示になっているという不都合や、表示されているパレット画像７００を利用者が煩わしく感じるという不都合が生じることもあり得る。
【００８８】
そこで、本実施形態では、表示制御部５０ｂは、利用者がタッチペン２００に対して所定の操作を行うと、パレット画像７００の表示と非表示とを切り替えるようになっている。つまり、パレット画像７００の表示中に利用者がタッチペン２００に対して所定の操作を行うと、表示制御部５０ｂはパレット画像７００を消去し、パレット画像７００の非表示中に利用者がタッチペン２００に対して所定の操作を行うと、表示制御部５０ｂはパレット画像７００を表示部１００Ａに表示させるようになっている。これにより、利用者自身の操作によってパレット画像７００を表示させたり消去させたりできるため、前記の各不都合を防止できる。
【００８９】
なお、所定の操作としては、例えば、タッチペン２００に設けられる切替ボタンの操作が挙げられる。つまり、タッチペン２００は、切替ボタンの操作が行われると、ボタン操作されたことを示す操作信号をタッチパネル部１００Ｂに送信し、タッチパネル部１００Ｂは当該操作信号をコントローラ１００Ｃに送信するようになっている。そして、コントローラ１００Ｃの表示制御部５０ｂは、当該操作信号を受信したことをもって、切替ボタンの操作が行われたことを検出できる。
【００９０】
また、所定の操作としては、利用者がタッチペン２００を強振する等の操作であってもよい。この場合、コントローラ１００Ｃの表示制御部５０ｂは、タッチパネル部１００Ｂを介してタッチペン２００から送られてくる運動情報に基づき、タッチペン２００が強振されたか否かを判定する（例えば、ペン制御部２０３での閾値処理において加速度と比較される閾値が０．３Ｇであるものとすると、表示制御部５０ｂは、前記の加速度が前記閾値（０．３Ｇ）を超えてから閾値時間（例えば０．５秒）以内に、前記閾値より大きな所定量（例えば２Ｇ）以上の加速度を検出し、且つ、所定量の加速度を検出した時点から閾値時間（例えば０．５秒）経過後には前記の加速度が前記閾値（０．３）未満になっている場合、強振運動が行われたと判定する）。このような構成によれば、タッチペン２００に切替ボタンを設けることなく、利用者操作によってパレット画像７００の表示と非表示とを切り替えることができる。
【００９１】
〔実施形態６〕
また、タッチペン２００が休止状態になっている場合、タッチパネル部１００Ｂ上に遮光物が存在しない蓋然性が高く、通常動作状態と同じ頻度で走査処理を行うと無駄な電力消費になる。そこで、表示システム１０において、タッチペン２００が休止状態になっている場合は、タッチペン２００が通常動作状態になっている場合よりも、走査部９による走査処理の頻度が抑制されるようになっていてもよい。これにより、省電力化を図ることができる。
【００９２】
以下、実施形態６の構成を詳細に説明する。本実施形態のタッチパネル部１００Ｂの制御部１ａは、タッチペン２００から送られてくる情報に基づいて、タッチペン２００が通常動作状態か休止状態かを判定する。なお、判定手法はコントローラ１００Ｃの状態判定部の判定手法と同じである。
【００９３】
そして、制御部（走査制御手段）１ａは、タッチペン２００が前記休止状態になっている場合、タッチペン２００が前記通常動作状態になっている場合よりも、走査部９に走査処理の頻度を抑制させる。
【００９４】
例えば、前記休止状態になっている場合、前記通常動作状態になっている場合よりも、単位時間当たりの走査処理回数を少なくする。本実施形態では、走査部９が赤外線遮断方式であるため、走査部９による光走査処理の実行周期を、通常動作状態では２００Ｈｚとし、休止状態では５０Ｈｚとする。また、走査部９が静電容量方式であれば、静電容量変化を検出するための走査処理の実行周期を、通常動作状態では２００Ｈｚとし、休止状態では５０Ｈｚとすればよい。
【００９５】
また、走査部９が赤外線遮断方式である場合、光走査を行うセンシングライン本数を、前記休止状態では前記通常動作状態よりも少なくしてもよい。例えば、休止状態では、発光素子９１１を１つおきで発光させて、センシングライン本数を通常動作状態の半分にすればよい。
【００９６】
また、タッチペン２００が前記休止状態になっている場合、制御部１ａは、走査部９に走査処理の実行を禁止することで、走査処理の頻度を抑制させるようになっていてもよい。
【００９７】
〔実施形態７〕
表示制御部５０ｂは、タッチペン２００の指し示す位置の移動に応じてパレット画像７００の表示位置を変化させることで、パレット画像７００の利便性を高めるようになっていてもよい。
【００９８】
表示制御部５０ｂは、表示部１００Ａのうち、描画可能な領域（描画領域）に重ねるようにパレット画像７００を表示させ、描画点（タッチペン２００の指し示す位置）の例えば３０ｃｍ左側の位置（３０ｃｍ左側の位置が表示領域外の時は描画点の右側）に追従するようにパレット画像７００を移動させるようになっていてもよい（図７Ａ参照）。
【００９９】
また、表示制御部５０ｂは、表示部１００Ａのうち、描画領域に重ねるようにパレット画像７００を表示させ、パレット画像７００の近傍位置（例えばパレット画像７００から例えば３０ｃｍ以内）にて描画点が検出された場合、描画領域を左右に２分割した内の描画が行っていない方の領域の中央へパレット画像７００を移動させるようになっていてもよい（図７Ｂ参照）。
【０１００】
或いは、描画領域が表示部１００Ａの表示領域の全面ではない場合（例えば、描画領域がアプリケーション・ソフトウェアの表示ウィンドウ内のみである場合や、アプリケーション・ソフトウェアが描画領域の外側の数ｃｍの幅の領域をパレット画像７００表示用に使用している場合）、表示制御部５０ｂは、パレット画像７００を、描画領域よりも左側および右側のうち描画点に近い方に移動させる（図７Ｃ参照）。
【０１０１】
なお、表示制御部５０ｂは、タッチパネル部１００Ｂから送られてくる座標値情報に基づいて描画点を把握し、この描画点に応じてパレット画像７００の表示位置を変化させている。
【０１０２】
〔変形例〕
以上の実施形態では、タッチペン２００の筆圧検出部２０１は、圧力センサであるが、可動ペン先と対向物との接触を検出するスイッチであってもよい。例えば、特開２００５−１９００４２に示されているように、可動ペン先と、光スイッチ（フォトインタラプタ）とを備えた機構を筆圧検出部２０１としてもよい。
【０１０３】
また、電子ホワイトボード１００において、タッチパネル部１００Ｂは取り外し可能になっていてもよい。
【０１０４】
また、以上の実施形態では、コントローラ１００Ｃは、表示部１００Ａおよびタッチパネル部１００Ｂの外部装置として、表示部１００Ａおよびタッチパネル部１００Ｂに対して有線で接続される形態であったが、コントローラ１００Ｃは、表示部１００Ａの内部に設けられる表示制御装置であってもよいし、タッチパネル部１００Ｂの内部に設けられる表示制御装置であってもよい。なお、コントローラ１００Ｃがタッチパネル部１００Ｂの内部に設けられる場合、タッチペン２００からの各種情報はＩ／Ｆ部５で受信されると、コントローラ１００Ｃの情報処理部５０に送信されるようになっている。
【０１０５】
また、本実施形態では情報処理部５０の各部は、コントローラ１００Ｃに設けられているが、特にコントローラ１００Ｃに設けられている必要はなく、表示システム１０内であればどこに設けられていてもよい。例えば、情報処理部５０の各部はタッチペン２００の内部に設けられてもよい。この場合、情報処理部５０の状態判定部５０ａは、ペン制御部２０３からの情報に基づいて状態判定を行い、情報処理部５０の表示制御部５０ｂは、状態判定の結果に基づいて、パレット画像７００の消去指示や表示指示を示す指示信号を、タッチパネル部１００Ｂを介してコントローラ１００Ｃに送信するようになっている。そして、コントローラ１００Ｃの制御部は、表示部１００Ａに各種画像を表示しつつ、前記指示信号に応じてパレット画像７００の消去や表示を制御するようになっている。
【０１０６】
また、本実施形態では情報処理部１の各部は、タッチパネル部１００Ｂに設けられているが、特にタッチパネル部１００Ｂに設けられている必要はなく、表示システム１０内であればどこに設けられていてもよい。
【０１０７】
〔ソフトウェアによる実現例〕
コントローラ１００Ｃの情報処理部５０、および、タッチパネル部１００Ｂの情報処理部１は、集積回路（ＩＣチップ）等に形成された論理回路（ハードウェア）によって実現してもよいし、ＣＰＵ（Central Processing Unit）を用いてソフトウェアによって実現してもよい。
【０１０８】
後者の場合、コントローラ１００Ｃやタッチパネル部１００Ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０９】
〔まとめ〕
本発明の態様１は、電子ペン（タッチペン２００）による描画処理を行う表示装置（電子ホワイトボード１００）を制御する表示制御装置（コントローラ１００Ｃ）において、前記電子ペンの機能を設定するための設定画像（パレット画像７００）を前記表示装置に表示させる設定画像表示手段（表示制御部５０ｂ）を備えており、前記設定画像表示手段は、前記電子ペンが操作されない状態が続くことによって前記電子ペンが通常動作状態から休止状態に移行すると、前記表示装置から前記設定画像を消去することを特徴とする。
【０１１０】
本発明の態様１によれば、利用者が電子ペンを操作しない状態が続いて前記電子ペンが休止状態に移行した場合、自動的に前記設定画像が消去されることになり、操作手間が軽減されるという効果を奏する。
【０１１１】
本発明の態様２の表示制御装置は、態様１の構成に加え、前記設定画像表示手段は、前記電子ペンが前記休止状態から前記通常動作状態に復帰すると、前記設定画像を前記表示装置に表示させることを特徴とする。
【０１１２】
本発明の態様２によれば、前記電子ペンが前記休止状態から前記通常動作状態に復帰すると、自動的に前記設定画像を前記表示装置に表示させることになり、操作手間が軽減されるという効果を奏する。
【０１１３】
本発明の態様３の表示制御装置は、態様１の構成に加え、前記設定画像表示手段は、（１）前記電子ペンが前記休止状態から前記通常動作状態に復帰し、且つ、（２）前記表示装置の画面のうち前記電子ペンによって指し示される位置を示す位置情報が検出されると、前記設定画像を前記表示装置に表示させることを特徴とする。
【０１１４】
本発明の態様３によれば、前記電子ペンが前記通常動作状態に復帰するだけでなく、実際に電子ペンによる位置指定が始まったことを検出してから、前記設定画像を表示させるようになっている。すなわち、前記電子ペンが前記通常動作状態に復帰するだけでなく、実際に前記設定画像の使用がなされる可能性の高い状況になってから前記設定画像を表示させるようになる。よって、利用者にとって設定画像の表示を必要とするタイミングで設定画像を自動表示させる精度を高くできるという効果を奏する。
【０１１５】
本発明の態様４の表示制御装置は、態様１の構成に加え、前記設定画像表示手段は、（１）前記電子ペンが前記休止状態から前記通常動作状態に復帰し、（２）前記表示装置の画面のうち前記電子ペンによって指し示される位置を示す位置情報が検出され、（３）前記表示装置の画面と前記電子ペンとが接触すると、前記設定画像を前記表示装置に表示させることを特徴とする。
【０１１６】
本発明の態様４によれば、前記電子ペンが前記通常動作状態に復帰するだけでなく、電子ペンが画面に接触することによる位置指定が始まったことを検出してから、前記設定画像を表示させるようになっている。すなわち、前記電子ペンが前記通常動作状態に復帰するだけでなく、よって、利用者にとって設定画像の表示を必要とするタイミングで設定画像を自動表示させる精度を高くできるという効果を奏する。
【０１１７】
また、前記描画処理と前記設定画像を用いた設定処理とが同時に行われることはないため（通常は前記描画処理の開始直前に設定処理が行われる）、前記描画処理中に前記設定画像が表示されている必然性はない。むしろ前記描画処理中に前記設定画像が表示されていると、前記表示画面に占める描画可能領域が狭くなり、前記描画処理の妨げになる。
【０１１８】
そこで、本発明の態様５の表示制御装置は、態様１〜４のいずれかの構成に加え、前記設定画像表示手段は、前記電子ペンが前記通常動作状態であっても、前記描画処理が行われている間は前記設定画像を非表示にすることを特徴とする。これにより、前記設定画像が前記描画処理の妨げになることを抑制できる。
【０１１９】
また、前記利用者が前記設定画像を用いて設定処理を行うことを望んでいる場合に前記設定画像が非表示になっているという不都合や、表示されている設定画像を利用者が煩わしく感じるという不都合が生じることもあり得る。
【０１２０】
そこで、本発明の態様６の表示制御装置は、態様１〜５のいずれかの構成に加え、前記設定画像表示手段は、利用者が前記電子ペンに対して所定の操作を行うと、前記設定画像の表示と非表示とを切り替えることを特徴とする。これにより、前記利用者自身の操作によって前記設定画像を表示させたり消去させたりできるため、前記の各不都合を防止できるという効果を奏する。
【０１２１】
また、本発明の態様７は、電子ペンによる描画処理が行われる表示装置において、表示部と、前記電子ペンの機能を設定するための設定画像を前記表示部に表示させる設定画像表示手段とを備えており、前記設定画像表示手段は、前記電子ペンが操作されない状態が続くことによって前記電子ペンが通常動作状態から休止状態に移行すると、前記表示部から前記設定画像を消去することを特徴とする。
【０１２２】
さらに、本発明の態様８は、表示装置と、前記表示装置の表示部に対して描画処理を行うための電子ペンとを備えた表示システムにおいて、前記電子ペンの機能を設定するための設定画像を前記表示部に表示させる設定画像表示手段を備えており、前記設定画像表示手段は、前記描画処理が行われない状態が続くことによって前記電子ペンが通常動作状態から休止状態に移行すると、前記表示部から前記設定画像を消去することを特徴とする。
【０１２３】
本発明の態様７または８によれば、利用者が電子ペンを操作しない状態が続いて前記電子ペンが休止状態に移行した場合、自動的に前記設定画像が消去されることになり、操作手間が軽減されるという効果を奏する。
【０１２４】
また、前記電子ペンが休止状態になっているという事は前記描画処理が行われていない蓋然性が高く、この場合にも、描画処理が行われている場合と同じ頻度で走査処理を行うと無駄な電力消費になる。
【０１２５】
そこで、本発明の態様９の表示システムは、態様８の構成に加え、前記表示部の画面のうち前記電子ペンによって指し示される位置を示す位置情報を生成するための走査処理を行う走査部と、前記電子ペンが前記休止状態になっている場合、前記電子ペンが前記通常動作状態になっている場合よりも、前記走査部に前記走査処理の頻度を抑制させる走査制御手段（制御部１ａ）とを備えたことを特徴とする。これにより、省電力化を図ることができる。
【０１２６】
本発明の態様１〜６に係る表示制御装置は、コンピュータによって実現してもよく、この場合には、コンピュータを上記表示制御装置が備える各手段として動作させることにより上記表示制御装置をコンピュータにて実現させるプログラム、およびそれを記録したコンピュータ読み取り可能な記録媒体も、本発明の範疇に入る。
【０１２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２８】
本発明は、電子ペンによる描画処理を行う表示システムに利用できる。表示システムに用いられる表示装置としては、電子ペンを用いた描画処理の可能なディスプレイ装置（タッチパネル機能を有するディスプレイ装置）であればよく、例えば、ホワイトボード（電子黒板）、タブレット端末、パーソナルコンピュータ、ゲーム機、スマートフォン、各種携帯型電子機器等が挙げられる。
【符号の説明】
【０１２９】
１ａ  制御部（走査制御手段）
１ｂ  座標値検出部
９    走査部
１０    表示システム
５０ａ  状態判定部
５０ｂ  表示制御部（設定画像表示手段）
１００    電子ホワイトボード（表示装置）
１００Ａ  表示部
１００Ｂ  タッチパネル部
１００Ｃ  コントローラ（表示制御装置）
２００    タッチペン（電子ペン）
７００    パレット画像（設定画像）
【図１】
2015148845.tif 000003
【図２】
2015148845.tif 000004
【図３】
2015148845.tif 000005
【図４】
2015148845.tif 000006
【図５】
2015148845.tif 000007
【図６】
2015148845.tif 000008
【図７Ａ】
2015148845.tif 000009
【図７Ｂ】
2015148845.tif 000010
【図７Ｃ】
2015148845.tif 000011